(57)【要約】【課題】  蛇口に各種機器を取り付けるための種類及びサイズの異なる取付具をセットにして、これらの取付具の管理、保管を容易にした取付具セットを提供すること。【解決手段】  蛇口に各種機器を取付けるための複数個の取付具２０、３０（３０ａ、３０ｂ）、４０が、支持体１１にそれぞれ接続片１３で一体に結合されており、前記取付具２０、３０（３０ａ、３０ｂ）、４０を、前記接続片１３部分で前記支持体１１から切離して使用するようになした取付具セット。【選択図】      図１
2006022546.tif 000002
【特許請求の範囲】
【請求項１】
蛇口に各種機器を取付けるための複数個の取付具が、支持体にそれぞれ接続片で一体に結合されており、前記取付具を、前記接続片部分で前記支持体から切離して使用するようになしたことを特徴とする取付具セット。
【請求項２】
前記複数個の取付具は、少なくともその１つが、所定の内径を有する環状体に、前記環状体を切断する１本のスリットが形成されたものであることを特徴とする請求項１記載の取付具セット。
【請求項３】
前記複数個の取付具は、少なくともその１つが、両端が開口した貫通孔を有する短長筒状体に、その貫通孔の一方の開口の内周面に機器装着用の雌ネジが形成されていることを特徴とする請求項１記載の取付具セット。
【請求項４】
前記複数個の取付具は、少なくともその１つが、両端が開口した貫通孔を有する短長筒状体に、その筒状体の外周面に機器装着用の雄ネジが形成されていることを特徴とする請求項１記載の取付具セット。
【請求項５】
前記取付具のいくつかには、シール部材が取り付けられていることを特徴とする請求項３又は４記載の取付具セット。
【請求項６】
前記支持体又は前記取付具に、前記取付具の種類及びサイズから選択される少なくとも一方の識別表示が付されていることを特徴とする請求項１〜５の何れか１つに記載の取付具セット。
【請求項７】
前記支持体の一部に蛇口のサイズを判断できる目安を設けたことを特徴とする請求項１〜６の何れか１つに記載の取付具セット。
【請求項８】
前記支持体に取付工具が結合されていることを特徴とする請求項１〜７の何れか１つに記載の取付具セット。
【請求項９】
前記支持体には、シール部材を取り付けるための取付部が設けられていることを特徴とする請求項１〜７の何れか１つに記載の取付具セット。
【発明の詳細な説明】
【技術分野】
【０００１】
本発明は、蛇口に各種機器を取り付けるための取付具セットに係り、さらに詳しくは、蛇口の先端に浄水器本体や、浄水器用切換弁等の機器を取付ける際に、蛇口の種類あるいはサイズに合わせて選択して使用する各種の取付具を一式セットにして纏めた取付具セットに関する。
【背景技術】
【０００２】
水道水等の水栓蛇口には、水に混入された殺菌剤の臭を除去する浄水器、あるいは原水をシャワー、ストレート状に切換えて吐出させたり、また温水器等へ給水するように流路を切換える切換弁等の機器が取付けられている。
これら機器の蛇口への取付けは、通常、専用の取付具が使用され、取付け箇所から水が漏れないようになっている（例えば、特許文献１、２参照）。
この専用の取付具は、蛇口の構造及び結合手段の違いにより、大別すると、蛇口に嵌め込んで結合する取付具（以下、スリット型取付具という）と、ネジ結合による取付具（ネジ型取付具という）とに分類される。
【０００３】
図１０は、下記特許文献１に記載された取付具を用いて浄水器を丸型蛇口に取付けた際の一部を断面とした概略説明図、図１１は、図１０の固定リングを示し、図１１（ａ）は平面図、図１１（ｂ）は他の固定用リングの縦断面図である。
この取付具は、先端部が円周方向に膨らんだ蛇口に適用されるものであって、上記のスリット型に分類されるものである。
【０００４】
前記取付具は、図１０、図１１に示すように、内径が丸型蛇口７５の外径とほぼ同等の大きさを有し、且つ、開環部７１と内周面に設けられた切欠部７４を有した固定用リング７０で構成されている。
この固定リング７０は、浄水器７７を取付ける際に、図１０に示すように、固定リング７０の開環部７１を拡げて丸型蛇口７５の拡径部７６の上に挿入し、ナット７９で固定用リング７０を挟んで浄水器７７のハウジングにネジ結合される。この結合により、ゴムパッキン７８が丸型蛇口７５の先端に密着され、浄水器７７が蛇口７５に水密的に固定される。
また、この文献１には、別の固定用リング７０Ａが記載されている。この固定用リング７０Ａは、図１１（ｂ）に示すように、蛇口の管状部外径と同じ大きさの内径を有する小径部７２ａと、蛇口先端の径方向に拡径された部分の最大外径より少し大きな内径を有する中径部７２ｂと、中径部よりさらに大きな内径を有する大径部７２ｃとからなり、上記固定リング７０と同様の方法で蛇口に取付けられる。この固定用リング７０Ａは、外方に突出する鍔部７３ａが外周に設けられおり、結合時に、丸型蛇口先端がゴムパッキンに押し付けられるようになっている。
【０００５】
また、図１２、図１３は、下記特許文献２に記載された取付具をそれぞれ示し、図１２（ａ）は斜視図、図１２（ｂ）は正面図、図１３（ａ）は図１２（ａ）の別角度からみた斜視図、図１３（ｂ）は別タイプの取付具の斜視図であって、これらはネジ型取付具に分類されるものである。
これらのネジ型取付具は、また筒状からなる胴部内の貫通孔内に雌ネジが刻設されたタイプ（以下、内ネジ型取付具という）と、胴部の外周縁部に雄ネジが刻設されたタイプ（以下、外ネジ型取付具）の２種類に分類される。
これらの取付具は、水はね防止用のネットや整流板などの部材器具が蛇口の吐水口にネジ嵌合で取付けられている、いわゆる泡沫水栓の蛇口には、そのネジ嵌合を利用できるために好適なものである。
図１２（ａ）、（ｂ）、図１３（ａ）に示す取付具、すなわち固定用リングは、リング本体８０に、その胴部８１の中心軸に沿って貫通孔８３、下端部の周縁に周縁拡大部８４が形成されている。貫通孔８３の内面には、雌ネジ８９が刻設されている。また、リング本体８０の下端面８５には、その直径位置に、軸方向に向かって凹状となる溝８６が形成され、この溝８６は、上記貫通孔８３の下端部の中央開口部８７に連続され、且つそこに跨るように形成されている。なお、符号８８は、溝８６に嵌合してリング本体８０を回転させるコイン状ネジ回転用具である。
【０００６】
また、図１３（ｂ）の固定用リングは、リング本体９０で、その胴部９１の上部に延長して、胴部９１の外径よりも縮径された水栓結合用円筒部９４が形成され、中心軸に沿って上記胴部９１及び円筒部を通して貫通孔９２が設けられている。この円筒部９４の外周面には雌ネジ９３が設けられ、また上記胴部９１の下端部には周縁拡大部９５が形成されている。
【０００７】
【特許文献１】特開平１１−３３３４４８号公報（図１、図２、図７、段落〔００１１〕〜〔００１４〕
【特許文献２】実用新案登録第２５３２６１９号公報（図１〜図３、段落〔０００７〕〜〔００１１〕）
【発明の開示】
【発明が解決しようとする課題】
【０００８】
上記特許文献１、２に記載された取付具は、それぞれ蛇口サイズに適合するものが作製され、浄水器その他の種々の機器の取付けに使用されるようになっている。
これらの取付具は、概ね、この取付具を使用する機器の付属品として、その機器を製造するメーカー側から提供され機器とセットになって販売されている。これらの取付具は、ユーザーが機器を取り付ける際の蛇口の種類及びサイズが多様であることから、各種の蛇口に対応できるようにするために、通常、数種類の取付具が一式まとめて袋詰め等により梱包されて提供されている。そして、機器購入者、すなわちユーザーは、機器とセットとなって提供された多数の取付具から使用している蛇口に適合する取付具を選択し、それを使用して機器を蛇口に取付けて使用している。
【０００９】
このような状況から、メーカー側は、既存の蛇口に適合する取付具は勿論、新たな機器が開発され発売される度に、それらに適合する取付具を準備しなければならないことになる。
そのために、メーカー側は、多種多様な取付具を提供しなければならないので、このような取付具を製造するための製造ラインを必要とし、また一方では、製造された取付具も種類が多いことから、その保管及び管理作業も煩雑となっている。しかも、通常、これらの取付具は、一個一個袋詰めされているので、袋詰め作業に工数及び時間が掛かり、また種類毎にサイズの異なるものを一式セットにして提供しなければならないので、その管理が面倒になっており、ときには梱包工程で欠品等が発生する問題を有していた。
【００１０】
また、ユーザー側は、機器購入時に一式まとめて梱包された取付具をすべて開梱して、その中から蛇口に適合するものだけを一つ探し出さねばならない。更に一度、取付けた機器も何らかの事情、例えば、引越し等で、他の蛇口に移し変えなければならない場合には、新たに取付ける蛇口が元のものと種類及びサイズが異なっていると、当然のことながらそれに適合する取付具を使用しなければならない。そのためには未使用の取付具も含めて一式保管されている必要があり、従来のように複数の取付具が個別になっていると散逸してしまう恐れがあった。
【００１１】
本発明は、このような不都合を解消するためになされたものであって、本発明の目的は、蛇口に各種機器を取付けるための種類及びサイズの異なる複数の取付具をセットにして、これらの取付具の管理、保管を容易にし、さらにユーザーが取付具の選択や取付工事をし易くするための表示やガイド、工具などを設けた取付具セットを提供することにある。
【課題を解決するための手段】
【００１２】
上記目的を達成するために、請求項１に記載の取付具セットは、蛇口に各種機器を取付けるための複数個の取付具が、支持体にそれぞれ接続片で一体に結合されており、前記取付具を、前記接続片部分で前記支持体から切離して使用するようになしたことを特徴とする。
【００１３】
また、請求項２に記載の発明は、請求項１に記載の取付セットに係り、前記複数個の取付具は、少なくともその１つが、所定の内径を有する環状体に、前記環状体を切断する１本のスリットが形成されたものであることを特徴とする。
【００１４】
また、請求項３に記載の発明は、請求項１に記載の取付セットに係り、前記複数個の取付具は、少なくともその１つが、両端が開口した貫通孔を有する短長筒状体に、その貫通孔の一方の開口の内周面に機器装着用の雌ネジが形成されていることを特徴とする。
【００１５】
また、請求項４に記載の発明は、請求項１に記載の取付セットに係り、前記複数個の取付具は、少なくともその１つが、両端が開口した貫通孔を有する短長筒状体に、その筒状体の外周面に機器装着用の雄ネジが形成されていることを特徴とする。
【００１６】
また、請求項５に記載の発明は、請求項３又は４に記載の取付具セットに係り、前記取付具のいくつかには、シール部材が取り付けられていることを特徴とする。
【００１７】
また、請求項６の発明は、請求項１〜５の何れか１つに記載の取付具セットに係り、前記支持体又は前記取付具に、前記取付具の種類及びサイズから選択される少なくとも一方の識別表示が付されていることを特徴とする。
【００１８】
また、請求項７の発明は、請求項１〜６の何れか１つに記載の取付具セットに係り、前記支持体の一部に蛇口のサイズを判断できる目安を設けたことを特徴とする。
【００１９】
また、請求項８の発明は、請求項１〜７の何れか１つに記載の取付具セットに係り、前記支持体に取付工具が結合されていることを特徴とする。
【００２０】
また、請求項９の発明は、請求項１〜７の何れか１つに記載の取付具セットに係り、前記支持体には、シール部材を取り付けるための取付部が設けられていることを特徴とする。
【発明の効果】
【００２１】
請求項１の発明によれば、複数個の機器取付け用取付具が支持体に接続片で一体に結合されているので、従来技術のように１個１個を個別に製作して袋詰め、あるいは台紙への取付け等の作業が不要になり、欠品、紛失等がなくなり、取付具の管理、保管が容易になる。また、使用時は、支持体に連結されている複数個の取付具の中から機器に適合する取付具を容易に探し出すことができ、しかも、適合する取付具は支持体から接続片を切離すだけで入手できるので、扱いが簡単になる。
【００２２】
請求項２〜４の発明によれば、種類及びサイズの異なる取付具が支持体に接続片で結合されているので、使用時に適合する取付具をすぐに探し出すことが可能になる。また、種類及びサイズの異なる取付具の保管、管理が容易になる。
【００２３】
請求項５の発明によれば、ネジ型取付具、たとえば外ネジ型に必要なＯリングや内ネジ型に必要な平パッキンなどのシール部材が取付具に挿入されているため、より液密な取付が可能となる。
【００２４】
請求項６の発明によれば、種類及びサイズの異なる取付具のそれぞれに識別表示が付されているので、使用時に適合する取付具を間違いなくすぐに探し出すことが可能になる。
【００２５】
請求項７の発明によれば、支持体に設けた蛇口サイズの寸法表示やゲージなどの目安に合わせることにより、蛇口の大きさを容易に判断することができ、取付具の選定が間違いなくできる。
【００２６】
請求項８の発明によれば、取付工事に必要な道具を支持体に結合されているため、例えばネジ型取付具においてネジ締めに必要な治具を支持体に設けて支持体と一体で使用したり、もしくは支持体から分離して使用できるので、取付工事が容易になる。
【００２７】
請求項９の発明によれば、支持体にシール部材を取り付けるための取付部が設けられるため、取付具に挿入されるシール部材が取付具から外れ易いものの場合でも、確実に保持することができ、シール部材の紛失を防ぐことができる。
【発明を実施するための最良の形態】
【００２８】
以下、図面を参照して本発明の最良の実施形態を説明する。但し、以下に示す実施形態は、本発明の技術思想を具体化するための取付具セットを例示するものであって、本発明をこの取付具セットに特定することを意図するものではなく、特許請求の範囲に含まれるその他の実施形態のものも等しく適応し得るものである。
【実施例１】
【００２９】
図１は、本発明の実施例１に係る取付具セットを示し、図１（ａ）は平面図、図１（ｂ）は図１（ａ）のＡ−Ａ断面図、図２は、図１（ａ）の１種類の取付具を示し、図２（ａ）は平面図、図２（ｂ）は一部を破断した側面図、図２（ｃ）は背面図、図３は、図１（ａ）の他の種類の取付具を示し、図３（ａ）は平面図、図３（ｂ）は背面図、図４は、図３の取付具を示し、図４（ａ）は図３（ｂ）のＢ−Ｂ断面図、図４（ｂ）は図４（ａ）のＬ部を拡大した拡大断面図、図５は、図１（ａ）の更に他の種類の取付具を示し、図５（ａ）は平面図、図５（ｂ）は底面図、図６は、図５の取付具を示し、図６（ａ）は図５（ｂ）のＣ−Ｃ断面図、図６（ｂ）は、図６（ａ）のＭ部を拡大した拡大断面図、図６（ｃ）は図６（ａ）のＮ部を拡大した拡大断面図、図７は、取付具セットが備える取付工具を示し、図７(ａ)は平面図、図７（ｂ）は図７（ａ）のＸ方向から見た図、図８は、取付具セットが備えるパッキン取付部を示し、図８（ａ）は平面図、図８（ｂ）は図８（ａ）のＤ−Ｄ線で切断した断面図である。
【００３０】
取付具セット１０は、ほぼ矩形状をなし連結帯１４で結合された一対の枠体１１ａ、１１ｂからなる支持体（「ランナー」と呼ばれることもある。）１１に、種類及びサイズが異なる複数個の取付具２０ａ、２０ｂ、３０ａ、３０ｂ、４０、が、それぞれ接続片（「ゲート」と呼ばれることもある。）１３で結合された構成を有する。また、各枠体１１ａ、１１ｂの一隅部には、機器に取付ける際に必要な取付工具５０、及び取付具を取り付ける際に液密な接続を達成するためのシール部材であるパッキン６１を取り付けるためのパッキン取付部６０が設けられる。取付工具５０は、接続片１３により枠体１１ｂに結合されており、また、パッキン取付部６０は枠体１１ａの隅部に形成されている。
これらの取付具、取付工具及びパッキン取付部は、全て合成樹脂材を用いて成型される。その製造方法は、各取付具、取付工具及びパッキン取付部の形状に合う金型で成型される。したがって、支持体１１の各枠体１１ａ、１１ｂは成型品を保持するフレームとして機能し、接続片１３は切離して片となるものである。
【００３１】
この構成によると、複数個の機器取付け用取付具が支持体に接続片で一体に結合されているので、従来技術のように１個１個を個別に製作して袋詰めにする作業が不要になり、欠品、紛失等がなくなり、取付具の管理、保管が容易になる。また、使用時は、支持体に連結されている複数個の取付具から機器に適合する取付具を容易に探し出すことができ、しかも、適合する取付片は支持体から接続片を切離するだけで入手できるので、扱いが簡単になる。
【００３２】
各取付具２０ａ、２０ｂ、３０ａ、３０ｂ、４０には、接続片と結合される箇所に、支持体１１ａ、１１ｂの幅長が一部拡大された支持片１２が設けられ、この支持片１２に個々の取付片の種類及びサイズを示す識別表示、例えば、サイズを示す数値１６ｍｍ、１９ｍｍ、及び、幅Ｗを示すＷ２２、Ｗ２３等の表示が付される。
また、枠体１１の一辺、例えば枠体１１ａには目盛り１１ｃを付しておき、この目盛りとしては、例えば取付具２０ａ、２０ｂの穴径である１６ｍｍ、１９ｍｍが好ましい。このような目盛りを付けておくと、取付ける蛇口の径が分からない場合、この目盛りが物差しとなり、取付ける蛇口の大きさを簡単に測ることができ、取付ける取付具の選定が容易になる。
【００３３】
図２は、図１（ａ）の取付具セットが備える１種類の取付具を示し、図２（ａ）は平面図、図２（ｂ）はその一部を断面図とした側面図、図２（ｃ）は背面図である。
これらの取付具２０ａ、２０ｂは、形状がほぼ同一で、貫通孔の穴径のサイズのみが異なっている。そこで、説明の重複を避けるため、そのうちの一つ（ここでは２０ａ）を代表して符号２０として説明する。また、この取付具２０は、スリット型取付具に分類されるものである。
【００３４】
取付具２０は、図２に示すように両端が開口した貫通孔２２を有する薄肉環状体２１からなり、この環状体２１には、環状体を切断する１本のスリット２３と、前記環状体２１の内側から伸びる複数本の切欠部２４とで構成され、前記貫通孔２２は、蛇口の管状部の外径と同じ大きさの内径を有する小径部２２ａと、蛇口先端の径方向に拡径された部分の最大外径より少し大きな内径を有する大径部２２ｂとからなる。この取付具の取付方法及び使用方法は、上記従来技術の固定リング７０と同じであるため、ここでは説明を省略する。ちなみに図中符号２５ａ、２５ｂは、スパナ嵌合用の切り欠き平面部である。
【００３５】
図３、図４は、図１（ａ）の取付具セットが備える他の種類の取付具を示し、図３（ａ）は平面図、図３（ｂ）は底面図、図４（ａ）は図３（ｂ）のＢ−Ｂ断面図、図４（ｂ）は図（ａ）のＬ部分を拡大した断面図である。
【００３６】
これらの取付具３０ａ、３０ｂは、形状がほぼ同一で、接続部分の径のみが異なっている。そこで、説明の重複を避けるため、そのうちの一つ（ここでは３０ａ）を代表して符号３０として説明する。また、この取付具３０はネジ型取付具に分類される。更に、図３、図４に示す取付具３０にはシール部材となる平パッキン６１が装着された状態を示している。
【００３７】
この取付具３０は、図３、図４に示すように、両端が開口した貫通孔３２を有する短長筒状体３１に、その筒状体３１の内周面に機器装着用の雌ネジ３２ａ'、及び一つの開口３２ｂ端面に取付工具用の溝３６が形成されている。
すなわち、両端の開口３２ａ、３２ｂのうち、一方の開口３２ａの径は他の開口３２ｂの径より大きく形成され、大径口から小径口への境目に段部３４が形成される。また、段部３４の平坦面には、側壁から所定距離離れたところに、突起３３が環状に形成される。この環状突起３３は、蛇口への取付時に開口３２ａの段部３４に設けられるゴム等の弾性体からなる環状パッキンとの接圧を高めシール性を向上させるためのものである。この環状パッキンには、後に説明するパッキン取付部６０に装着されている平パッキン６１が使用される。また、他の開口３２ｂには、その開口端面に取付工具５０用の溝３６が十字状に形成される。更に、平坦面３４には側壁から所定距離離れたところに、突起３５が環状に形成される。この環状突起３５は、機器への取付時に前記環状突起３３と同様に機器側に設けたゴム等の弾性体からなる環状パッキンとのシール性を向上させるためのものである。なお、図中符号３７は、スパナ嵌合用の切り欠き平面部である。
【００３８】
図５、図６は、図１（ａ）の取付具セットが備える他の種類の取付具を示し、図５（ａ）は平面図、図５（ｂ）は底面図、図６（ａ）は図５（ｂ）のＣ−Ｃ断面図、図６（ｂ）は、図６（ａ）のＭ部を拡大した拡大断面図、図６（ｃ）は図６（ａ）のＮ部を拡大した拡大断面図である。
【００３９】
この取付具４０は、前記取付具３０と同様にネジ型取付具に分類されるものであって、図５、図６に示すように、両端が開口した貫通孔４３を有する短長筒状体４１に、その筒状体４１の外周縁に機器装着用の雄ネジ４２が形成される。
また、貫通孔４３の両端の開口４３ａ、４３ｂのうち、一方の開口４３ａの端面には側壁から所定距離離れたところに、環状の突起４５が形成される（図６（ｂ）参照）。この環状突起４５は、蛇口への取付時に、蛇口側に挿入されているゴム等の弾性体からなる環状パッキン（図示省略）とのシール性を高めるものである。また、雄ネジ４２が刻設された外周部の奥部には、シール部材としてＯリング６２が取り付けられており、蛇口先端の内筒部分とのシーリングを図る。
また、他の開口４３ｂには、その開口端面に取付工具５０用の溝４８が十字状に形成される。更に、開口４３ｂには、側壁から所定距離離れたところに、突起４６が環状に形成される（図６（ｃ）参照）。この環状突起４６は、機器への取付時に前記環状突起４５と同様に機器側に設けたゴム等の弾性体からなる環状パッキン（図示省略）との接圧を高めてシール性を向上させるものである。なお、図中符号４７は、スパナ嵌合用の切り欠き平面部である。
【００４０】
図７は、取付具セットが備える取付工具を示し、図７(ａ)は平面図、図７（ｂ）は側面図である。
この取付具５０は、薄肉板状体であり、円弧状の先端部５１を前記取付具３０、４０の溝３６、４８に嵌め込み、回転することで、蛇口と取付具３０、４０との取付を行うためのものであり、取付具３０、４０を回転させるための握り部となる裾広がりの胴部５２、及び先端部５１から形成されている。なお、実施例のように取付工具５０を接続片１３で切り離して使用できるようにしても、あるいは取付工具５０を接続片１３を介した接続とせず、切り離しを行わないで支持体に固定したまま使用できるように設けることによっても本発明は実施可能である。
いずれも、取付具セット１０に備えることにより、取付具３０、４０を取付ける際に、特別な工具を用意する必要がなくなる。
【００４１】
図８はパッキン取付部を示し、図８（ａ）は平面図、図８（ｂ）は図８（ａ）のＤ−Ｄ断面図である。
このパッキン取付部６０は、枠体１１ａの角部を橋渡し、この橋渡し板状部７に設けられた一対の係止突片６３、６３で構成される。これらの係止突片６３、６３には、別途製作された平パッキン６１が取り付けられている。
この平パッキン６１は、取付具３０ａ、３０ｂに使用される。したがって、ユーザは、何れかの取付具３０ａ、３０ｂを使用する場合、この係止突片６３、６３から平パッキン６１を外して使用する。
【実施例２】
【００４２】
図９は、本発明の実施例２に係る取付具セットを示し、図９（ａ）は平面図、図９（ｂ）は図９（ａ）のＥ−Ｅ断面図である。
この取付具セット１０Ａは、上記の取付具セット１０とは、枠体１１ａの角部にパッキン取付部が形成されていない点が異なり、他の構成は同じである。
この取付具セット１０Ａは、パッキン取付部（６０）を設ける代わりに、一対の取付具３０ａ、３０ｂの何れか一方の取付具、図９では取付具３０ａに、予め平パッキン６１を装着している。一方の取付具に予め平パッキン６１を装着しておくことにより、パッキン取付部（６０）が不要になる。また、他の取付具３０ｂを使用する場合は、取付具３０ｂから外して使用する。
【００４３】
上述のような各構成部品を取付具セットとして一体に有することにより、取付具の取付が容易にできるようになると共に、１つの取付具セットとして複数の取付具及びその付属品が一体となっているため、保管が行いやすくなる。
【図面の簡単な説明】
【００４４】
【図１】図１は、本発明の実施例１に係る取付具セットを示し、図１（ａ）は平面図、図１（ｂ）は図１（ａ）のＡ−Ａ断面図、
【図２】図２は、図１（ａ）の１種類の取付具を示し、図２（ａ）は平面図、図２（ｂ）は一部を破断した側面図、図２（ｃ）は背面図、
【図３】図３は、図１（ａ）の他の種類の取付具を示し、図３（ａ）は平面図、図３（ｂ）は背面図、
【図４】図４は、図３の取付具を示し、図４（ａ）は図３（ｂ）のＢ−Ｂ断面図、図４（ｂ）は図４（ａ）のＬ部を拡大した拡大断面図、
【図５】図５は、図１（ａ）の更に他の種類の取付具を示し、図５（ａ）は平面図、図５（ｂ）は底面図、
【図６】図６は、図５の取付具を示し、図６（ａ）は図５（ｂ）のＣ−Ｃ断面図、図６（ｂ）は、図６（ａ）のＭ部を拡大した拡大断面図、図６（ｃ）は図６（ａ）のＮ部を拡大した拡大断面図、
【図７】図７は、取付具セットが備える取付工具を示し、図７(ａ)は平面図、図７（ｂ）は図７（ａ）のＸ方向から見た図、
【図８】図８は、取付具セットが備えるパッキン取付部を示し、図８（ａ）は平面図、図８（ｂ）は図８（ａ）のＤ−Ｄ線で切断した断面図、
【図９】図９は、本発明の実施例２に係る取付具セットを示し、図９（ａ）は平面図、図９（ｂ）は図９（ａ）のＥ−Ｅ断面図、
【図１０】図１０は、特許文献１に記載された取付具を用いて浄水器を丸型蛇口に取付けた際の一部を断面とした概略説明図、
【図１１】図１１は、図１０の固定リングを示し、図１１（ａ）は平面図、図１１（ｂ）は他の固定用リングの縦断面図、
【図１２】図１２は、特許文献２に記載された取付具を示し、図１２（ａ）は斜視図、図１２（ｂ）は正面図、
【図１３】図１３は、特許文献２に記載された取付具を示し、図１３（ａ）は図１２（ａ）の別角度からみた斜視図、図１３（ｂ）は別タイプの取付具の斜視図。
【符号の説明】
【００４５】
１０、１０Ａ    取付具セット
１１            支持体
１１ａ、１１ｂ  枠体
１２            支持片
１３            接続片
２０、３０、４０、２０ａ、２０ｂ、３０ａ、３０ｂ
取付具
２１            薄肉環状体
２２            貫通孔
２３            スリット
２４            切欠部
３１            短長筒状体
３２            貫通孔
３２ａ、３２ｂ  開口部
３２ａ'        雌ネジ
３３、３５      環状突起
３４            段部
４１            短長筒状体
４２            雄ネジ
４３            貫通孔
４５、４６      環状突起
６１、６２      環状パッキン
６３            係止突片
【図１】
2006022546.tif 000003
【図２】
2006022546.tif 000004
【図３】
2006022546.tif 000005
【図４】
2006022546.tif 000006
【図５】
2006022546.tif 000007
【図６】
2006022546.tif 000008
【図７】
2006022546.tif 000009
【図８】
2006022546.tif 000010
【図９】
2006022546.tif 000011
【図１０】
2006022546.tif 000012
【図１１】
2006022546.tif 000013
【図１２】
2006022546.tif 000014
【図１３】
2006022546.tif 000015
【手続補正書】
【提出日】平成16年8月3日(2004.8.3)
【手続補正１】
【補正対象書類名】明細書
【補正対象項目名】００３０
【補正方法】変更
【補正の内容】
【００３０】
取付具セット１０は、ほぼ矩形状をなし連結帯１４で結合された一対の枠体１１ａ、１１ｂからなる支持体（「ランナー」と呼ばれることもある。）１１に、種類及びサイズが異なる複数個の取付具２０ａ、２０ｂ、３０ａ、３０ｂ、４０、が、それぞれ接続片（「ゲート」と呼ばれることもある。）１３で結合された構成を有する。また、各枠体１１ａ、１１ｂの一隅部には、機器に取付ける際に必要な取付工具５０、及び取付具を取り付ける際に液密な接続を達成するためのシール部材であるパッキン６１を取り付けるためのパッキン取付部６０が設けられる。取付工具５０は、接続片１３により枠体１１ｂに結合されており、また、パッキン取付部６０は枠体１１ａの隅部に形成されている。
これらの取付具、取付工具及びパッキン取付部は、全て合成樹脂材を用いて成型される。その製造方法は、各取付具、取付工具及びパッキン取付部の形状に合う金型で成型される。したがって、支持体１１の各枠体１１ａ、１１ｂは成型品を保持するフレームとして機能し、接続片１３は切離して片となるものである。なお、一対の枠体１１ａ、１１ｂは、それぞれの外方に向かって伸びている支持体１５ａ、１５ｂ同士が前記接続片１３と同様の薄肉部材からなる連結帯１４により結合されて一体化されている。したがって、一対の枠体１１ａ、１１ｂは連結帯１４の部分で容易に折り畳むことが可能となっている。
【手続補正２】
【補正対象書類名】明細書
【補正対象項目名】００３１
【補正方法】変更
【補正の内容】
【００３１】
この構成によると、複数個の機器取付け用取付具が支持体に接続片で一体に結合されているので、従来技術のように１個１個を個別に製作して袋詰めにする作業が不要になり、欠品、紛失等がなくなり、取付具の管理、保管が容易になる。また、使用時は、支持体に連結されている複数個の取付具から機器に適合する取付具を容易に探し出すことができ、しかも、適合する取付片は支持体から接続片を切離するだけで入手できるので、扱いが簡単になる。加えて、一対の枠体１１ａ、１１ｂは、連結帯１４の部分で折り畳むことができるようになっているので、小さく折り畳んだまま持ち運び、梱包あるいは保管等が可能となる。
【手続補正３】
【補正対象書類名】図面
【補正対象項目名】図１
【補正方法】変更
【補正の内容】
【図１】
2006022546.tif 000016
【手続補正４】
【補正対象書類名】図面
【補正対象項目名】図９
【補正方法】変更
【補正の内容】
【図９】
2006022546.tif 000017